(57)【要約】【課題】天板に脚体を容易に取り付け、取り外すことが可能で、容易に天板の高さ調節が可能なテーブルを提供することを目的とする。【解決手段】本考案のテーブル１は、天板２と、略Ｌ字状に互いに接続された短尺脚部３Ｓおよび長尺脚部３Ｌを有する脚体３と、を備え、短尺脚部３Ｓおよび長尺脚部３Ｌを選択的に天板２の下面２ｂに取り付けることで、天板２の高さを変更可能なテーブル１であって、天板２の下面２ｂに、天板２の下面２ｂに沿って延在する係合部２１が設けられ、短尺脚部３Ｓおよび長尺脚部３Ｌのそれぞれに、短尺脚部３Ｓおよび長尺脚部３Ｌのそれぞれの延びる方向に対して略垂直で、短尺脚部３Ｓおよび長尺脚部３Ｌのそれぞれから長尺脚部３Ｌおよび短尺脚部３Ｓのそれぞれが延びる向きとは反対側に延在し、係合部２１と係合可能な被係合部３Ｓａ、３Ｌａが設けられることを特徴とする。【選択図】図５
0003210112.tif 000002
【実用新案登録請求の範囲】
【請求項１】
天板と、
略Ｌ字状に互いに接続された短尺脚部および長尺脚部を有する脚体と
を備え、
前記短尺脚部および前記長尺脚部を選択的に前記天板の下面に取り付けることで、前記天板の高さを変更可能なテーブルであって、
前記天板の下面に、前記天板の下面に沿って延在し、前記短尺脚部および前記長尺脚部のそれぞれと係合可能な係合部が設けられ、
前記短尺脚部および前記長尺脚部のそれぞれに、前記短尺脚部および前記長尺脚部のそれぞれの延びる方向に対して略垂直で、前記短尺脚部および前記長尺脚部のそれぞれから前記長尺脚部および前記短尺脚部のそれぞれが延びる向きとは反対側に延在し、前記係合部と係合可能な被係合部が設けられ、
前記係合部および前記被係合部が、前記天板の下面に沿って前記短尺脚部および前記長尺脚部のそれぞれを相対的にスライド移動させることで、互いに係合するように構成され、
前記テーブルが、前記短尺脚部および前記長尺脚部のそれぞれを前記天板の下面に固定するための固定手段をさらに備え、
前記天板に設けられた前記係合部と、前記短尺脚部および前記長尺脚部のそれぞれの前記被係合部とが係合し、前記短尺脚部および前記長尺脚部のそれぞれに接続された前記長尺脚部および前記短尺脚部のそれぞれが前記固定手段により前記天板の下面に固定されて、前記短尺脚部および前記長尺脚部のそれぞれが前記天板の下面に取り付けられるように構成される、
テーブル。
【請求項２】
前記係合部および前記被係合部の一方が、前記天板の下面に沿って延びる突起であり、
前記係合部および前記被係合部の他方が、前記短尺脚部および前記長尺脚部のそれぞれの延びる方向に対して略垂直に延びる凹部である、
請求項１記載のテーブル。
【請求項３】
前記突起が、金属製のダボにより構成され、
前記凹部が、前記金属製のダボの形状に対応した形状に形成される
請求項２記載のテーブル。
【請求項４】
前記固定手段が、前記天板の下面に設けられた雌ネジ部と、前記短尺脚部および前記長尺脚部のそれぞれに設けられた貫通孔を通って、前記雌ネジ部に螺合する雄ネジ部とを備える、
請求項１〜３のいずれか１項に記載のテーブル。
【請求項５】
前記天板の下面に、前記天板に設けられた前記係合部が前記短尺脚部および前記長尺脚部のそれぞれと係合したときに、前記短尺脚部および前記長尺脚部のそれぞれと当接するように構成される当接部が設けられる、
請求項１〜４のいずれか１項に記載のテーブル。
【請求項６】
前記固定手段が、前記天板の下面に設けられた雌ネジ部と、前記短尺脚部および前記長尺脚部のそれぞれに設けられた貫通孔を通って、前記雌ネジ部に螺合する雄ネジ部とを備え、
前記天板の下面に、前記天板に設けられた前記係合部が前記短尺脚部および前記長尺脚部のそれぞれと係合したときに、前記短尺脚部および前記長尺脚部のそれぞれと当接するように構成される当接部が設けられ、
前記雌ネジ部と前記貫通孔とは、前記係合部と前記被係合部とが係合し、前記短尺脚部および前記長尺脚部のそれぞれが前記当接部に当接したときに、互いに位置合わせされるように配置される、
請求項１〜３のいずれか１項に記載のテーブル。
【請求項７】
前記脚体が、略Ｌ字状の内側で前記短尺脚部および前記長尺脚部を互いに連結する補強部を備える、
請求項１〜６のいずれか１項に記載のテーブル。
【考案の詳細な説明】
【技術分野】
【０００１】
本考案は、天板の高さ調節が可能なテーブルに関する。
【背景技術】
【０００２】
ホテル、旅館、結婚式場、会議場などにおいては、使用目的に応じて、座卓やダイニングテーブルなど、天板の高さの異なるテーブルが必要とされる。しかし、使用目的に応じて複数の種類の高さのテーブルを用意するとなると、保管スペースの問題、テーブルの入れ替え作業の問題、導入コストの問題などさまざまな問題が生じる。このような問題を解決すべく、特許文献１および２は、天板の高さを調節することができるテーブルを開示している。特許文献１および２のテーブルはともに、天板と、長尺脚部および短尺脚部が略Ｌ字状に互いに接続された脚体とを備え、長尺脚部および短尺脚部を選択的に天板に取り付けることで、天板の高さを調節することができる。
【先行技術文献】
【特許文献】
【０００３】
【特許文献１】特開２０００−３４２４４２号公報
【特許文献２】実開平７−３６７６１号公報
【考案の概要】
【考案が解決しようとする課題】
【０００４】
特許文献１のテーブルでは、長尺脚部または短尺脚部を天板に取り付ける際、天板に設けられた複数のめねじ体に、長尺脚部または短尺脚部に接続された短尺脚部または長尺脚部に設けられた複数の通孔を位置合わせし、複数のおねじ体を複数の通孔を介して螺合する必要がある。このような構成では、天板の複数のめねじ体に短尺脚部または長尺脚部の複数の通孔のすべてを位置合わせすることが難しく、また、複数のめねじ体への複数のおねじ体の螺合に時間がかかるため、天板の高さの調節が煩雑で、時間がかかる。
【０００５】
特許文献２のテーブルでは、長尺脚部または短尺脚部を天板に取り付ける際、長尺脚部または短尺脚部に接続された短尺脚部または長尺脚部を、天板の裏面に設けられた組付け空間に挿入して固定する必要がある。このような構成では、短尺脚部または長尺脚部に追加の構造を設けると、短尺脚部または長尺脚部を組付け空間に挿入できなくなるので、短尺脚部または長尺脚部に追加の構造を設けることができない。たとえば、特許文献２のテーブルにおいて、脚体の強度を上げるためにＬ字状の内側に長尺脚部および短尺脚部を互いに連結する筋交いを設けると、短尺脚部または長尺脚部を組付け空間に挿入するのを筋交いが阻害することになるので、長尺脚部または短尺脚部を天板に取り付けることができなくなる。
【０００６】
本考案は、上記問題に鑑みなされたもので、天板に脚体を容易に取り付け、取り外すことが可能で、容易に天板の高さ調節が可能なテーブルを提供する。
【課題を解決するための手段】
【０００７】
本考案のテーブルは、天板と、略Ｌ字状に互いに接続された短尺脚部および長尺脚部を有する脚体と、を備え、前記短尺脚部および前記長尺脚部を選択的に前記天板の下面に取り付けることで、前記天板の高さを変更可能なテーブルであって、前記天板の下面に、前記天板の下面に沿って延在し、前記短尺脚部および前記長尺脚部のそれぞれと係合可能な係合部が設けられ、前記短尺脚部および前記長尺脚部のそれぞれに、前記短尺脚部および前記長尺脚部のそれぞれの延びる方向に対して略垂直で、前記短尺脚部および前記長尺脚部のそれぞれから前記長尺脚部および前記短尺脚部のそれぞれが延びる向きとは反対側に延在し、前記係合部と係合可能な被係合部が設けられ、前記係合部および前記被係合部が、前記天板の下面に沿って前記短尺脚部および前記長尺脚部のそれぞれを相対的にスライド移動させることで、互いに係合するように構成され、前記テーブルが、前記短尺脚部および前記長尺脚部のそれぞれを前記天板の下面に固定するための固定手段をさらに備え、前記天板に設けられた前記係合部と、前記短尺脚部および前記長尺脚部のそれぞれの前記被係合部とが係合し、前記短尺脚部および前記長尺脚部のそれぞれに接続された前記長尺脚部および前記短尺脚部のそれぞれが前記固定手段により前記天板の下面に固定されて、前記短尺脚部および前記長尺脚部のそれぞれが前記天板の下面に取り付けられるように構成されることを特徴とする。
【０００８】
また、前記係合部および前記被係合部の一方が、前記天板の下面に沿って延びる突起であり、前記係合部および前記被係合部の他方が、前記短尺脚部および前記長尺脚部のそれぞれの延びる方向に対して略垂直に延びる凹部であることが好ましい。
【０００９】
また、前記突起が、金属製のダボにより構成され、前記凹部が、前記金属製のダボの形状に対応した形状に形成されることが好ましい。
【００１０】
また、前記固定手段が、前記天板の下面に設けられた雌ネジ部と、前記短尺脚部および前記長尺脚部のそれぞれに設けられた貫通孔を通って、前記雌ネジ部に螺合する雄ネジ部とを備えることが好ましい。
【００１１】
また、前記天板の下面に、前記天板に設けられた前記係合部が前記短尺脚部および前記長尺脚部のそれぞれと係合したときに、前記短尺脚部および前記長尺脚部のそれぞれと当接するように構成される当接部が設けられることが好ましい。
【００１２】
また、前記固定手段が、前記天板の下面に設けられた雌ネジ部と、前記短尺脚部および前記長尺脚部のそれぞれに設けられた貫通孔を通って、前記雌ネジ部に螺合する雄ネジ部とを備え、前記天板の下面に、前記天板に設けられた前記係合部が前記短尺脚部および前記長尺脚部のそれぞれと係合したときに、前記短尺脚部および前記長尺脚部のそれぞれと当接するように構成される当接部が設けられ、前記雌ネジ部と前記貫通孔とは、前記係合部と前記被係合部とが係合し、前記短尺脚部および前記長尺脚部のそれぞれが前記当接部に当接したときに、互いに位置合わせされるように配置されることが好ましい。
【００１３】
また、前記脚体が、略Ｌ字状の内側で前記短尺脚部および前記長尺脚部を互いに連結する補強部を備えることが好ましい。
【考案の効果】
【００１４】
本考案によれば、天板に脚体を容易に取り付け、取り外すことが可能で、容易に天板の高さ調節が可能なテーブルを提供することができる。
【図面の簡単な説明】
【００１５】
【図１】本考案のテーブルの一実施形態において、天板に短尺脚部が取り付けられた状態を示す側面図である。
【図２】図１のテーブルの下面図である。
【図３】本考案のテーブルの一実施形態において、天板に長尺脚部が取り付けられた状態を示す側面図である。
【図４】図３のテーブルの下面図である。
【図５】図１のテーブルにおいて、天板と短尺脚部が分離された状態を示す部分拡大側面図である。
【考案を実施するための形態】
【００１６】
以下、添付図面を参照して、本考案の一実施形態に係るテーブルを説明する。
【００１７】
本実施形態のテーブル１は、図１〜図４に示されるように、天板２と、略Ｌ字状に互いに接続された短尺脚部３Ｓおよび長尺脚部３Ｌを有する脚体３とを備えている。テーブル１は、短尺脚部３Ｓおよび長尺脚部３Ｌを選択的に天板２の下面２ｂに取り付けることで、天板２の高さを変更可能である。テーブル１は、短尺脚部３Ｓを天板２の下面２ｂに取り付けることで（図１および図２の状態）、たとえば使用者が床に座って使用する座卓として使用可能であり、長尺脚部３Ｌを天板２の下面２ｂに取り付けることで（図３および図４の状態）、たとえば使用者が椅子に座って使用するダイニングテーブルとして使用可能である。テーブル１は、天板２の高さを変更することで、異なる高さのニーズに応じて様々な用途に適用可能である。なお、本実施形態では、天板２に一対の脚体３が取り付けられているが、取り付けられる脚体３の数は特に限定されない。
【００１８】
天板２は、下面２ｂに脚体３が取り付けられることで所定の高さが付与され、上面２ａに載置物（図示せず）が載置される部材である。天板２は、図１〜図４に示されるように、互いに直交する縦方向および横方向に延びる辺を有する略矩形の板状に形成されている。ただし、天板２は、下面２ｂに脚体３を取り付けることができ、上面２ａに載置物を載置することができれば、その形状は特に限定されることはなく、長軸および短軸を有する略楕円の板状など、いかなる形状であってもよい。また、天板２は、上面２ａに載置物が載置されても変形しない程度の強度を有していれば、特に材質は限定されることはなく、樹脂、木材、金属などの任意の材料を用いて作製することができる。
【００１９】
天板２の下面２ｂには、図１〜図５に示されるように、天板２の下面２ｂに沿って延在し、短尺脚部３Ｓおよび長尺脚部３Ｌのそれぞれと係合可能な係合部２１が設けられている。天板２の下面２ｂにはさらに、短尺脚部３Ｓおよび長尺脚部３Ｌのそれぞれが当接可能な当接部２２が設けられている。
【００２０】
係合部２１は、短尺脚部３Ｓおよび長尺脚部３Ｌのそれぞれと係合したときに、少なくとも係合部２１の延在方向以外の方向における、短尺脚部３Ｓおよび長尺脚部３Ｌのそれぞれの天板２の下面２ｂに対する相対移動を規制する。係合部２１は、本実施形態では、図５に示されるように、当接部２２から天板２の下面２ｂに沿って延びる突起として形成されている。より具体的には、係合部２１は、金属製のダボ（ピンダボ）により構成され、金属製のダボが、当接部２２の表面からその一部が突出するように当接部２２内に埋設されて形成されている。係合部２１を、金属製のダボにより構成することで、非常に低コストでテーブルを製造することができる。突起である係合部２１は、全体として略円柱状に形成され、先端が先細りになるようにテーパ加工されている。係合部２１の先端がテーパ加工されているので、後述する凹部である被係合部３Ｓａ、３Ｌａに容易に挿入することができる。
【００２１】
係合部２１は、本実施形態では当接部２２から突出するように設けられているが、天板２の下面２ｂに沿って延在して設けられていれば、設けられる位置は特に限定されることはなく、たとえば当接部２２とは異なる突出部（図示せず）に設けられるなど、いかなる位置に設けられてもよい。また、係合部２１は、本実施形態では略円柱状に形成され、１つの脚体３用に２つ設けられているが（図２および図４参照）、天板２の下面２ｂに沿って延在し、脚体３の短尺脚部３Ｓおよび長尺脚部３Ｌのそれぞれと係合可能であれば、その形状や数は限定されることはなく、たとえば略角柱状など、いかなる形状であってもよく、また１つの脚体３用に１つまたは３つ以上であってもよい。また、後述する被係合部３Ｓａ、３Ｌａが上述した突起とされて、係合部２１が後述する凹部とされてもよい。また、係合部２１は、強度の観点から金属製であることが望ましいが、被係合部３Ｓａ、３Ｌａと係合した際に、短尺脚部３Ｓおよび長尺脚部３Ｌから負荷がかかっても変形しない程度の強度を有していればよく、樹脂や木材など他の材料により形成されてもよい。
【００２２】
当接部２２は、短尺脚部３Ｓおよび長尺脚部３Ｌのそれぞれが当接したときに、短尺脚部３Ｓおよび長尺脚部３Ｌのそれぞれが係合部２１の延在方向の少なくとも一方に相対移動するのを規制する。当接部２２は、本実施形態では、図１〜図５に示されるように、天板２の下面２ｂから下方向に突出して形成され、天板２に設けられた係合部２１が短尺脚部３Ｓおよび長尺脚部３Ｌのそれぞれと係合したときに、短尺脚部３Ｓおよび長尺脚部３Ｌのそれぞれと当接するように構成されている。したがって、短尺脚部３Ｓおよび長尺脚部３Ｌのそれぞれは、係合部２１と係合し、当接部２２と当接した際に、少なくとも係合部２１の延在方向以外の方向だけでなく、係合部２１の延在方向の少なくとも一方に相対移動するのが規制されるので、後述する固定手段Ｆにより長尺脚部３Ｌおよび短尺脚部３Ｓのそれぞれを天板２に固定する際の位置合わせが容易となる。
【００２３】
当接部２２は、本実施形態では、天板２の端部に隣接して、天板２の下面２ｂから突出して設けられている。そして、２つの当接部２２は、２つの脚体３を天板２の下面２ｂに取り付けた際に、２つの脚体３の天板２の下面２ｂに沿った長さよりも長い距離だけ離間して設けられている。そのため、天板２は、下面２ｂの中央領域に突出部分が設けられない構成となっている。このように、当接部２２が天板２の端部に隣接して設けられ、天板２の下面２ｂの中央領域に突出部分が設けられないことで、たとえば、天板２を脚体３から取り外して収納する際に、天板２を安定的に積み重ねることができ、収納スペースを小さくすることができる。さらに、係合部２１が、天板２の下面２ｂに沿って突出しており、当接部２２から下側に向かって突出していないので、天板２をより安定的に積み重ねて収納することができる。ただし、当接部２２は、短尺脚部３Ｓおよび長尺脚部３Ｌの上述した相対移動を規制することができれば、特にその形状や配置は限定されることはなく、たとえば天板２の下面２ｂに窪んで形成された凹部（図示せず）の壁面であってもよい。
【００２４】
脚体３は、天板２の下面２ｂに取り付けられ、天板２に所定の高さを付与し、天板２を下面２ｂから支持する。脚体３は、図１および図３に示されるように、短尺脚部３Ｓの延びる方向と、長尺脚部３Ｌの延びる方向とが略直交するように、短尺脚部３Ｓと長尺脚部３Ｌとが互いに接続されて形成されている。ただし、短尺脚部３Ｓおよび長尺脚部３Ｌは、厳密に直交していなくても、端部同士が接続されて略Ｌ字状に接続されていればよく、互いに対して９０°から相対回転した状態で互いに接続されていてもよい。
【００２５】
短尺脚部３Ｓおよび長尺脚部３Ｌはそれぞれ、図１および図３に示されるように、脚高さＨ１、Ｈ２を有し、脚高さＨ１＜脚高さＨ２になるように形成されている。脚高さＨ１、Ｈ２はそれぞれ、脚高さＨ１＜脚高さＨ２の条件を満たせば、特に限定されることはなく、要求される天板２の高さに応じて適宜設定することができる。
【００２６】
短尺脚部３Ｓは、本実施形態では、図１および図３に示されるように、短尺脚部３Ｓおよび長尺脚部３Ｌのそれぞれが延びる方向の両方に対して略垂直に延びる天板受け３１および短尺脚部ベース３２と、短尺脚部３Ｓが延びる方向に沿って延び、天板受け３１および短尺脚部ベース３２を連結する短尺脚部支柱３３とを備えている。天板受け３１および短尺脚部ベース３２は、ともに、略角柱状に形成され、短尺脚部支柱３３は、略矩形の板状に形成されている。一方、長尺脚部３Ｌは、短尺脚部３Ｓおよび長尺脚部３Ｌのそれぞれが延びる方向の両方に対して略垂直に延びる天板受け３１および長尺脚部ベース３４と、長尺脚部３Ｌが延びる方向に沿って延び、天板受け３１および長尺脚部ベース３４を連結する長尺脚部支柱３５とを備えている。長尺脚部ベース３４は、天板受け３１および短尺脚部ベース３２と同様に、略角柱状に形成され、長尺脚部支柱３５は、短尺脚部支柱３３と同様に、略矩形の板状に形成されている。本実施形態では、天板受け３１、短尺脚部ベース３２および長尺脚部ベース３４が略同一形状に形成され、短尺脚部支柱３３および長尺脚部支柱３５のそれぞれの長さが異なるように形成されて、短尺脚部３Ｓおよび長尺脚部３Ｌの脚高さＨ１、Ｈ２が設定される。ただし、短尺脚部３Ｓおよび長尺脚部３Ｌは、短尺脚部３Ｓが長尺脚部３Ｌよりも短くなるように形成されていれば、図示された例に限定されることはなく、たとえばそれぞれ１つの部材により構成されてもよい。また、短尺脚部３Ｓおよび長尺脚部３Ｌは、載置物が載置された天板２を支持できる程度の強度を有していれば、特に材質は限定されることはなく、樹脂、木材、金属などの任意の材料を用いて作製することができる。
【００２７】
脚体３は、任意で、図１〜図５に示されるように、略Ｌ字状の内側で短尺脚部３Ｓおよび長尺脚部３Ｌを互いに連結する補強部３６を備えていてもよい。補強部３６は、本実施形態では、短尺脚部３Ｓの短尺脚部支柱３３および長尺脚部３Ｌの長尺脚部支柱３５を互いに連結する筋交いとして形成されている。脚体３は、補強部３６を備えることにより、天板２および天板２の上面２ａ上の載置物を支持するための強度をより高めることができる。
【００２８】
短尺脚部３Ｓおよび長尺脚部３Ｌのそれぞれには、図５に示されるように、短尺脚部３Ｓおよび長尺脚部３Ｌのそれぞれの延びる方向に対して略垂直で、短尺脚部３Ｓおよび長尺脚部３Ｌのそれぞれから長尺脚部３Ｌおよび短尺脚部３Ｓのそれぞれが延びる向きとは反対側に延在し、係合部２１と係合可能な被係合部３Ｓａ、３Ｌａが設けられている。そして、係合部２１および被係合部３Ｓａ、３Ｌａは、天板２の下面２ｂに沿って短尺脚部３Ｓおよび長尺脚部３Ｌのそれぞれを相対的にスライド移動させることで、互いに係合するように構成される。より具体的には、短尺脚部３Ｓおよび長尺脚部３Ｌのそれぞれを、天板２の下面２ｂに沿って、短尺脚部３Ｓおよび長尺脚部３Ｌのそれぞれから長尺脚部３Ｌおよび短尺脚部３Ｓのそれぞれが延びる向きとは反対側に、相対的にスライド移動させることで、係合部２１と被係合部３Ｓａ、３Ｌａとが係合する。したがって、天板２に対して短尺脚部３Ｓおよび長尺脚部３Ｌのそれぞれをスライド移動させるだけで短尺脚部３Ｓおよび長尺脚部３Ｌのそれぞれを天板２に係合させることができるので、天板２に対する短尺脚部３Ｓおよび長尺脚部３Ｌのそれぞれの位置合わせおよび取り付けが容易となり、天板２の高さを容易に変更することができる。さらに、被係合部３Ｓａ、３Ｌａが、短尺脚部３Ｓおよび長尺脚部３Ｌのそれぞれから長尺脚部３Ｌおよび短尺脚部３Ｓのそれぞれが延びる向きとは反対側に延在することにより、短尺脚部３Ｓまたは長尺脚部３Ｌを相対的にスライド移動させて係合部２１と被係合部３Ｓａ、３Ｌａとを係合する際に、短尺脚部３Ｓまたは長尺脚部３Ｌに接続された長尺脚部３Ｌまたは短尺脚部３Ｓがその係合を阻害することがなく、またＬ字状の内側に設けられる補強部３６がその係合を阻害することがない。したがって、天板２に対する脚体３の取り付けが容易となり、天板２の高さを容易に変更できる。また、補強部３６を設けることができるので、短尺脚部３Ｓおよび長尺脚部３Ｌの軽量化を図りつつ、脚体３の高強度化を図ることができる。
【００２９】
ここで、被係合部３Ｓａ、３Ｌａは、天板２に設けられた係合部２１と係合したときに、少なくとも係合部２１の延在方向以外の方向における、短尺脚部３Ｓおよび長尺脚部３Ｌのそれぞれの天板２の下面２ｂに対する相対移動を規制する。被係合部３Ｓａ、３Ｌａは、本実施形態では、図５に示されるように、短尺脚部３Ｓおよび長尺脚部３Ｌのそれぞれの延びる方向に対して略垂直に延びる凹部として形成されている。凹部である被係合部３Ｓａ、３Ｌａは、係合部２１とほぼ同じ大きさの略円柱状に形成され、係合部２１を挿入可能に構成されている。つまり、係合部２１としての突起が金属製のダボにより構成されている場合には、凹部は、金属製のダボの形状に対応した形状に形成される。ただし、被係合部３Ｓａ、３Ｌａは、天板２に設けられた係合部２１に対応する形状を有し、その係合部２１と係合可能であれば、特にその形状は限定されることはなく、たとえば係合部２１が凹部とされて、被係合部３Ｓａ、３Ｌａが突起とされてもよい。
【００３０】
被係合部３Ｓａ、３Ｌａは、本実施形態では、図５に示されるように、ともに、短尺脚部３Ｓおよび長尺脚部３Ｌに共通して備えられる天板受け３１に設けられている。より具体的には、短尺脚部３Ｓの被係合部３Ｓａは、天板受け３１の長尺脚部支柱３５が接続される側とは反対側に設けられ、長尺脚部３Ｌの被係合部３Ｌａは、天板受け３１の短尺脚部支柱３３が接続される側とは反対側に設けられている。このような配置により、上述したように、短尺脚部３Ｓの被係合部３Ｓａが係合部２１と係合する際に、長尺脚部３Ｌや補強部３６がその係合を阻害することがなく、長尺脚部３Ｌの被係合部３Ｌａが係合部２１と係合する際に、短尺脚部３Ｓや補強部３６がその係合を阻害することがない。ただし、被係合部３Ｓａ、３Ｌａは、短尺脚部３Ｓおよび長尺脚部３Ｌのそれぞれの延びる方向に対して略垂直で、短尺脚部３Ｓおよび長尺脚部３Ｌのそれぞれから長尺脚部３Ｌおよび短尺脚部３Ｓのそれぞれが延びる向きとは反対側に延在していれば、設けられる位置は特に限定されることはなく、たとえば短尺脚部３Ｓの短尺脚部支柱３３および長尺脚部３Ｌの長尺脚部支柱３５のそれぞれに設けられてもよい。
【００３１】
テーブル１は、図１〜図５に示されるように、短尺脚部３Ｓおよび長尺脚部３Ｌのそれぞれを天板２の下面２ｂに固定するための固定手段Ｆをさらに備えている。固定手段Ｆは、少なくとも天板２に設けられた係合部２１の延在方向における、短尺脚部３Ｓおよび長尺脚部３Ｌのそれぞれの天板２の下面２ｂに対する相対移動を規制する。固定手段Ｆは、本実施形態では、図５に示されるように、天板２の下面２ｂに設けられた雌ネジ部Ｆ１と、短尺脚部３Ｓおよび長尺脚部３Ｌのそれぞれに設けられた貫通孔３Ｓｂ、３Ｌｂを通って、雌ネジ部Ｆ１に螺合する雄ネジ部Ｆ２とを備える。したがって、本実施形態では、雄ネジ部Ｆ２が貫通孔３Ｓｂ、３Ｌｂを貫通して雌ネジ部Ｆ１に螺合して、貫通孔３Ｓｂ、３Ｌｂの側壁が雄ネジ部Ｆ２の外周に当接することにより、短尺脚部３Ｓおよび長尺脚部３Ｌのそれぞれの天板２の下面２ｂに沿った相対移動が規制される。また、雌ネジ部Ｆ１と貫通孔３Ｓｂ、３Ｌｂとは、係合部２１と被係合部３Ｓａ、３Ｌａとが係合し、短尺脚部３Ｓおよび長尺脚部３Ｌのそれぞれが当接部２２に当接したときに、互いに位置合わせされるように配置される。したがって、テーブル１では、雌ネジ部Ｆ１と貫通孔３Ｓｂ、３Ｌｂとの位置合わせが容易であり、固定手段Ｆによる短尺脚部３Ｓおよび長尺脚部３Ｌのそれぞれの固定が容易である。ただし、固定手段Ｆは、少なくとも天板２に設けられた係合部２１の延在方向における、短尺脚部３Ｓおよび長尺脚部３Ｌのそれぞれの天板２の下面２ｂに対する相対移動を規制することができればよく、図示された雌ネジ部Ｆ１および雄ネジ部Ｆ２を備えた構成に限定されることはなく、たとえば天板２に設けられた当接部２２と組み合わせて短尺脚部３Ｓおよび長尺脚部３Ｌのそれぞれを挟み込むように構成された衝立（図示せず）などであってもよい。
【００３２】
テーブル１は、図１〜図５に示されるように、天板２に設けられた係合部２１と、短尺脚部３Ｓおよび長尺脚部３Ｌのそれぞれの被係合部３Ｓａ、３Ｌａ（図５参照）とが係合し、短尺脚部３Ｓおよび長尺脚部３Ｌのそれぞれに接続された長尺脚部３Ｌおよび短尺脚部３Ｓのそれぞれが固定手段Ｆにより天板２の下面２ｂに固定されて、短尺脚部３Ｓおよび長尺脚部３Ｌのそれぞれが天板２の下面２ｂに取り付けられるように構成される。係合部２１と被係合部３Ｓａ、３Ｌａとが係合することで、少なくとも係合部２１の延在方向以外の方向において、脚体３の天板２に対する相対移動が規制され、短尺脚部３Ｓおよび長尺脚部３Ｌのそれぞれに接続された長尺脚部３Ｌおよび短尺脚部３Ｓのそれぞれが固定手段Ｆにより天板２の下面２ｂに固定されることで、少なくとも係合部２１の延在方向において、脚体３の天板２に対する相対移動が規制される。このようにして、脚体３の天板２に対する全方向における相対移動が規制されるので、脚体３を天板２に、より安定して取り付けることができる。
【符号の説明】
【００３３】
１  テーブル
２  天板
２１  係合部
２２  当接部
２ａ  天板の上面
２ｂ  天板の下面
３  脚体
３１  天板受け
３２  短尺脚部ベース
３３  短尺脚部支柱
３４  長尺脚部ベース
３５  長尺脚部支柱
３６  補強部
３Ｓ  短尺脚部
３Ｓａ  短尺脚部の被係合部
３Ｓｂ  短尺脚部の挿通孔
３Ｌ  長尺脚部
３Ｌａ  長尺脚部の被係合部
３Ｌｂ  長尺脚部の挿通孔
Ｆ  固定手段
Ｆ１  雌ネジ部
Ｆ２  雄ネジ部
Ｈ１  短尺脚部の脚高さ
Ｈ２  長尺脚部の脚高さ
【図１】
0003210112.tif 000003
【図２】
0003210112.tif 000004
【図３】
0003210112.tif 000005
【図４】
0003210112.tif 000006
【図５】
0003210112.tif 000007